(57)【特許請求の範囲】
【請求項１】
キャビネットと、該キャビネットに挿脱自在に設けられ、ディスクを載置するターンテーブルを有したトレーと、該トレーを前記キャビネット内にロックするロック手段とを有し、該ロック手段は、前記トレーに回動自在に設けた第１レバーと、該第１レバーを一方向に付勢する第１付勢手段と、前記第１レバーに連接するよう前記トレーに回動自在に設けた第２レバーと、第２レバーを介して該第１レバーを第１付勢手段の付勢力に抗して他方向に付勢する第２付勢手段と、前記トレーに設けたロックピンと、前記第１レバーに設けられ、該第１レバーが一方向に回動したとき前記ロックピンに係合するロック部と、非通電時、前記第２付勢手段の付勢力に抗して前記第２レバーを保持し、通電時、保持を開放するプランジャーと、前記第１レバーに設けられ、前記トレーが前記キャビネットから排出されるとき、前記ロックピンに当接して前記第１レバーを一方向に回動させ、前記第２レバーを前記プランジャーの保持位置に回動させるリセット手段とからなることを特徴とする
ディスク再生装置。
【発明の詳細な説明】
【０００１】
【産業上の利用分野】
本発明は、ＣＤ等を再生するディスク再生装置において、特に、キャビネットに挿脱自在に設けられ、ディスクを載置するターンテーブルを有したトレーのロック手段に関するものである。
【０００２】
【従来の技術】
近年、パーソナルコンピュータ等にＣＤ，ＣＤ−ＲＯＭ等を再生するディスク再生装置が組み込まれている。
【０００３】
このディスク再生装置は、キャビネットと、該キャビネットに挿脱自在に設けられ、ディスクを載置するターンテーブルを有したトレーと、該トレーを前記キャビネット内にロックするロック手段とを有している。
【０００４】
そして、ロック手段は、回動自在なロックレバーと、該ロックレバーを回動させ、ロック・ロック解除を行うカムギヤと、該カムギヤを回転させるモータと、前記カムギヤの回転角度を検出してモータの停止点を設定する検出スイッチとから構成されている。この構成において、トレーをキャビネットにロックするときは、モータを回転させてカムギヤを介してロックレバーをキャビネットのロックピンに係合させ、そして、カムギヤがロック位置まで回転したことを検出すると、モータの回転を停止することになる。また、ロックを解除するときは、モータを逆転させてカムギヤを介してロックレバーとロックピンとの係合を解除させ、そして、カムギヤがロック解除位置まで回転したことを検出すると、モータの回転を停止することになる。
【０００５】
【発明が解決しようとする課題】
しかしながら、上記構成のロック手段では、モータを使用しているため、ディィスク再生装置の薄型化には限度があり、スリムタイプのコンピュータ等に搭載することが困難となった。
【０００６】
また、カムギヤの回転角度の検出誤差が直接ロックレバーとロックピンとの係合位置に影響するので、検出精度を高くする必要があり、コストが高くなった。
【０００７】
【課題を解決するための手段】
本願発明のディスク再生装置は、上記点に鑑み、キャビネットと、該キャビネットに挿脱自在に設けられ、ディスクを載置するターンテーブルを有したトレーと、該トレーを前記キャビネット内にロックするロック手段とを有し、該ロック手段は、前記トレーに回動自在に設けた第１レバーと、該第１レバーを一方向に付勢する第１付勢手段と、前記第１レバーに連接するよう前記トレーに回動自在に設けた第２レバーと、第２レバーを介して該第１レバーを第１付勢手段の付勢力に抗して他方向に付勢する第２付勢手段と、前記トレーに設けたロックピンと、前記第１レバーに設けられ、該第１レバーが一方向に回動したとき前記ロックピンに係合するロック部と、非通電時、前記第２付勢手段の付勢力に抗して前記第２レバーを保持し、通電時、保持を開放するプランジャーと、前記第１レバーに設けられ、前記トレーが前記キャビネットから排出されるとき、前記ロックピンに当接して前記第１レバーを一方向に回動させ、前記第２レバーを前記プランジャーの保持位置に回動させるリセット手段とからなることを特徴とするものである。
【０００８】
【発明の実施の形態】
本発明の実施例を図面に基づいて説明する。
【０００９】
図１において、１は金属製のキャビネットで、コンピュータ等に装着されるものである。２はキャビネット１にガイドレール３を介して挿脱自在に配設したトレーで、上面にディスクを載置するディスク載置部４を形成している。このディスク載置部４の中央には、ターンテーブル５が配置され、またディスク載置部４の径方向に光ピックアップ６が移動可能なように配置されている。なお、トレー２内部には、ターンテーブル５を回転駆動するモータ（図示せず）が配置されている。また、ガイドレール３は、それ自体キャビネット１に摺動自在に設けられているため、トレー２全体をキャビネット１から取り出せることができ、ディスクを取り出し易くしている。７はトレー２に固定した全面パネルで、動作状態を表示するランプ８と後述するロック機構を手動で操作するための操作孔９を設けている。１０はキャビネット１の底面に配設したロックピン、１１はトレー２をキャビネット１内に保持するロック機構で、図２の平面図に示すように、トレー２の内側部に配置されている。なお、トレー２はキャビネット１に対して排出方向に付勢されており、ロックが解除されると、トレー２は自動的にキャビネット１から排出される。
【００１０】
図３は、ロック機構１１の平面図で、この図はトレー２がロックされている状態を示す。この図において、１２はトレー２内部に固定される金属製の基板で、後述する各部品を載置するものである。１３は基板１２に回動自在に配設した第１レバーで、一端側下部にロックピン１０に係合するロック部１４が設けられている。また、一端に操作板１５が設けられ、全面パネル７の操作孔９からピン等を挿入してこの操作板１５を押し、第１レバー１３を回動させることにより、手動でロック解除を行うことができるようにしている。更に、第１レバー１３の他端には連動部１６が設けられている。１７は第１レバー１３が反時計方向に回動するように第１レバー１３を付勢する第１コイルバネ、１８は基板１２に回動自在に配設した第２レバーで、一端が第１レバー１３の連動部１６に当接可能になっている。１９は第２レバー１８が反時計方向に回動するように第２レバー１８を付勢する第２コイルバネである。この第２コイルバネ１９は、第１コイルバネ１７より付勢力が強く設定されており、第２レバー１８を介して第１レバー１３を時計方向に付勢するようにしている。２０は基板１２に固定したプランジャーで、可動片２１を第２レバー１８の他端に遊嵌している。この可動片２１とソレノイド２２の磁石２３のと吸着力は、第２コイルバネ１９の付勢力よりも強く、図３の状態で第２レバー１８を保持することになる。但し、ソレノイド２２にパルス電流を加えると、吸着が開放され、第２コイルバネ１９の付勢力によって第２レバー１８は、反時計方向に回動することになる。なお、このプランジャー２０は、可動片２１とソレノイド２２の組み合わせによる簡単な構成であり、モータに比べて小型化・薄形化することが可能である。２４は第１レバー１３の他端側に形成されたリセット部で、第１レバー１３が時計方向に回動している状態でロックピン１０と当接する形状となっている。
【００１１】
次に、上記構成における動作を図面に基づいて説明する。
【００１２】
図３は、前述したように、トレー２が収納状態でロックされている状態を示している。この状態では、図からも明らかなように、プランジャー２０の可動片２１がソレノイド２２の磁石２３に吸着しているため、第２レバー１８が第２コイルバネ１９の付勢力により時計方向に、第１レバー１３が第１コイルバネ１７の付勢力より反時計方向に回動した状態にあり、第１レバー１３のロック部１４とロックピン１０が係合し、トレー２がキャビネット１から排出されるのを阻止している。
【００１３】
次に、制御回路（図示せず）により、ソレノイド２２にパルス電流が加えられると、図４に示すように、可動片２１とソレノイド２２の磁石２３との吸着が開放されるため、第２コイルバネ１９の付勢力により、第２レバー１８が反時計方向に、第１レバー１３が時計方向に回動し、第１レバー１３のロック部１４とロックピン１０の係合が解除される。これにより、トレー２は、図示しないバネの付勢力により、キャビネット１から排出される。
【００１４】
さて、一旦、可動片２１とソレノイド２２の磁石２３の吸着が開放されると、プランジャー２０自身では、両者を再度吸着させることはできない。上記説明より明らかなように、両者が吸着し、第１レバー１３が第１コイルバネ１７により反時計方向に回動して初めてトレー２をキャビネット１にロックすることができる。
【００１５】
従って、再度トレー２をロックするのに先立って、可動片２１とソレノイド２２の磁石２３を吸着させる必要があり、これについては、リセット部２４にてその操作を行うようにしている。即ち、トレー２のロックが解除され、トレー２がキャビネット１から排出されるとき、図５に示すように、リセット部２４がロックピン１０に当接し、第１レバー１３を強制的に反時計方向に回動させる。これにより、第２レバー１８は時計方向に回動させられ、可動片２１はソレノイド２２の磁石２３との吸着位置に移動することになる。
【００１６】
この状態で、トレー２をキャビネット１内に押すと、ロック部１４のテーパ１４ａにロックピン１０が当接するため、一旦第１レバー１３は時計方向に回動するが、その後、テーパ１４ａを超えてロックピン１０がロック部１４に嵌まり込むため、第１コイルバネ１７の付勢力により、ロック部１４とロックピン１０が係合し、トレー２がロックされることになる。
【００１７】
【発明の効果】
本発明は、上記のようにプランジャーにより、トレーのロックを制御するようにしたものであるから、ロック機構を簡単で小型な構成にすることが出来る。
【図面の簡単な説明】
【図１】本発明のディスク再生装置の斜視図である。
【図２】本発明のディスク再生装置の平面図である。
【図３】ロック状態にある本発明のロック機構の要部平面図である。
【図４】ロック解除した瞬間の本発明のロック機構の要部平面図である。
【図５】ロック解除後、トレーが排出される過程での本発明のロック機構の要部平面図である。
【符号の説明】
１  キャビネット
２  トレー
１０  ロックピン
１２  ロック機構
１３  第１レバー
１４  ロック部
１７  第１コイルバネ
１８  第２レバー
１９  第２コイルバネ
２０  プランジャー
２４  リセット部
【図１】
0003670914.tif 000002
【図２】
0003670914.tif 000003
【図３】
0003670914.tif 000004
【図４】
0003670914.tif 000005
【図５】
0003670914.tif 000006